(57)【特許請求の範囲】
【請求項１】
利用者が装着して生体情報を測定する生体グルコース濃度測定手段からなる生体情報センサを備えた生体情報測定装置と、該生体情報測定装置に近距離無線通信手段を用いて生体情報の測定の開始のタイミングを通知する食堂の入り口、出口に設置した生体状況標識装置を有する生体情報測定システムであって、
前記食堂の入り口に設置した生体状況標識装置が、生体情報の測定の開始を通知するセンサ起動コマンド作成手段を有し、
かつ前記食堂の出口に設置した生体状況標識装置がセンサ停止コマンド作成手段を有し、
前記生体情報測定装置が、生体情報の測定の開始を通知された場合に、
生体情報センサの電源を入れて生体情報を測定する制御プログラムを持ち、
前記生体情報測定装置の制御プログラムが、前記生体状況標識装置から生体情報の測定の終了を通知された場合に、
その時点での生体情報を測定した上で前記生体情報センサの電源を切る処理ステップを実行する、
ことを特徴とする生体情報測定システム。
【請求項２】
請求項１に記載の生体情報測定システムであって、
前記生体情報測定装置は複数の生体情報センサを備え、脈拍計及び体温計を備え、
生体グルコース濃度測定手段が測定した生体のグルコース濃度が正常値であった場合は、
生体グルコース濃度測定手段の電源を切り、脈拍計および体温計の電源は入れたままにして生体情報の測定を継続することを特徴とする生体情報測定システム。
【請求項３】
利用者が装着して生体情報を測定する生体グルコース濃度測定手段からなる生体情報センサを備えた生体情報測定装置と、該生体情報測定装置に近距離無線通信手段を用いて生体情報の測定の開始のタイミングを通知する食堂の入り口、出口に設置した生体状況標識装置を用いる生体情報測定方法であって、
前記生体情報測定装置の制御プログラムが、前記食堂の入り口に設置した生体状況標識装置から生体情報の測定の開始を通知された場合に、
生体情報センサの電源を入れて生体情報を測定する処理を実行し、
前記食堂の出口に設置した生体状況標識装置からセンサ停止コマンド作成手段を受信すると、生体情報センサの電源を切り停止する、
ことを特徴とする生体情報測定方法。
【請求項４】
請求項３に記載の生体情報測定方法であって、
前記生体情報測定装置は複数の生体情報センサを備え、脈拍計及び体温計を備え、
生体グルコース濃度測定手段が測定した生体のグルコース濃度が正常値であった場合は、
生体グルコース濃度測定手段の電源を切り、脈拍計および体温計の電源は入れたままにして生体情報の測定を継続することを特徴とする生体情報測定方法。
【発明の詳細な説明】
【技術分野】
【０００１】
本発明は、病気・疾患の早期発見を行うための生体情報測定システムと、その生体情報測定方法に関する。
【背景技術】
【０００２】
近年、高齢化社会と並び国民医療費の増加という問題が取り沙汰されており、治療よりも予防に注力した研究や運動が活発化している。例えば、日常の生体活動において、体内または体外に漏れ出る生体情報を、生体情報センサを用いて測定し、病気・疾患の兆候を早期に発見し、改善を促すシステムの導入・検討が実施されている。このようなシステムにおいては、生体情報センサは利用者の身体に密着するようなものが好ましい場合が多く、ウェアラブルデバイスの分野が特に注目されている。
【０００３】
このウェアラブルデバイスを用いた生体情報測定技術は、数多くの研究が行われ、例えば特許文献１では、複数の生体情報センサによって測定された生体情報をもとに、各生体情報センサへの電源供給の優先順位を設定する技術が提案されている。これにより、測定の対象外となった生体情報については生体情報センサの電源を切って、継続して測定が必要な生体情報については測定を継続し、電力を効率的に使用できる効果がある。
【先行技術文献】
【特許文献】
【０００４】
【特許文献１】特開２０１５−１２３３００号公報
【発明の概要】
【発明が解決しようとする課題】
【０００５】
しかし、特許文献１の技術では、複数の生体情報センサの電源のバッテリー残量が少なくなった場合に複数の生体情報センサに優先順位を付けて、優先順位の高い生体情報センサに優先的にバッテリーから電力を供給するものである。そのため、特許文献１では生体情報センサの測定のタイミングを最適に実施するわけではなかった。
【０００６】
そのため、本発明の課題は、生体情報センサを、その測定データが最も必要とされる時間に動作させ、それ以外の時間は停止させることで効率良く電力を使わせることができる生体情報測定システムを得ることにある。
【課題を解決するための手段】
【０００７】
本発明は、上記の課題を解決するために、利用者が装着して生体情報を測定する生体情報測定装置と、該生体情報測定装置に近距離無線通信手段を用いて生体情報の測定の開始のタイミングを通知する生体状況標識装置を有する生体情報測定システムであって、
前記生体状況標識装置が、生体情報の測定の開始を通知するセンサ起動コマンド作成手段を有し、
前記生体情報測定装置が、生体情報の測定の開始を通知された場合に、生体情報センサの電源を入れて生体情報を測定する制御プログラムを持つことを特徴とする生体情報測定システムである。
【０００８】
本発明は、この構成により、生体情報の測定が必要な最適なタイミングで特に生体情報の測定が必要とされている重要な時間帯に生体情報を測定することができる効果があり、また、電力を効率的に使用できる効果がある。
【０００９】
また、本発明は、上記の生体情報測定システムであって、前記生体情報センサが生体グルコース濃度測定手段であって、前記生体状況標識装置が、利用者の食事の開始を前記生体情報測定装置に通知することにより生体情報の測定の開始を通知することを特徴とする生体情報測定システムである。
【００１０】
また、本発明は、上記の生体情報測定システムであって、前記生体情報測定装置の制御プログラムが、前記生体状況標識装置から生体情報の測定の終了を通知された場合、又は、センサ停止タイマー手段により生体情報の測定の終了を感知した場合に、その時点での生体情報を測定した上で前記生体情報センサの電源を切る処理ステップを実行することを特徴とする生体情報測定システムである。
【００１１】
また、本発明は、利用者が装着して生体情報を測定する生体情報測定装置と、該生体情報測定装置に近距離無線通信手段を用いて生体情報の測定の開始のタイミングを通知する生体状況標識装置を有する生体情報測定システムであって、前記生体状況標識装置が、生体情報の測定の開始を通知するセンサ起動コマンド作成手段を有し、前記生体情報測定装置が、生体情報の測定の開始を通知された場合に、生体情報センサの性能を上げて測定精度を向上させる制御プログラムを持つことを特徴とする生体情報測定システムである。
【００１２】
また、本発明は、上記の生体情報測定システムであって、前記生体情報測定装置の制御プログラムが、前記生体状況標識装置から生体情報の高精度測定の終了を通知された場合、又は、センサ停止タイマー手段により生体情報の高精度測定の終了を感知した場合に、前記生体情報センサの性能を下げて測定精度を下げることを特徴とする生体情報測定システムである。
【００１３】
また、本発明は、利用者が装着して生体情報を測定する生体情報測定装置と、該生体情報測定装置に近距離無線通信手段を用いて生体情報の測定の開始のタイミングを通知する生体状況標識装置を有する生体情報測定システムであって、前記生体状況標識装置が、生体情報の測定の開始を通知するセンサ起動コマンド作成手段を有し、前記生体情報測定装置が、生体情報の測定の開始を通知された場合に、生体情報センサの測定の頻度を高くする制御プログラムを持つことを特徴とする生体情報測定システムである。
【００１４】
また、本発明は、上記の生体情報測定システムであって、前記生体情報測定装置の制御プログラムが、前記生体状況標識装置から生体情報の測定の終了を通知された場合、又は、センサ停止タイマー手段により生体情報の測定の終了を感知した場合に、前記生体情報センサの測定の頻度を低くすることを特徴とする生体情報測定システムである。
【００１５】
また、本発明は、利用者が装着して生体情報を測定する生体情報測定装置と、該生体情報測定装置に近距離無線通信手段を用いて生体情報の測定の開始のタイミングを通知する生体状況標識装置を用いる生体情報測定方法であって、
前記生体情報測定装置の制御プログラムが、前記生体状況標識装置から生体情報の測定の開始を通知された場合に、生体情報センサの電源を入れて生体情報を測定する処理ステップを実行することを特徴とする生体情報測定方法である。
【００１６】
また、本発明は、上記の生体情報測定方法であって、前記生体情報センサが生体グルコース濃度測定手段であって、前記生体状況標識装置が、利用者の食事の開始を前記生体情報測定装置に通知することにより生体情報の測定の開始を通知することを特徴とする生体情報測定方法である。
【００１７】
また、本発明は、上記の生体情報測定方法であって、前記生体情報測定装置の制御プログラムが、前記生体状況標識装置から生体情報の測定の終了を通知された場合、又は、セ
ンサ停止タイマー手段により生体情報の測定の終了を感知した場合に、その時点での生体情報を測定した上で前記生体情報センサの電源を切る処理ステップを実行することを特徴とする生体情報測定方法である。
【００１８】
また、本発明は、利用者が装着して生体情報を測定する生体情報測定装置と、該生体情報測定装置に近距離無線通信手段を用いて生体情報の測定の開始のタイミングを通知する生体状況標識装置を用いる生体情報測定方法であって、前記生体情報測定装置の制御プログラムが、前記生体状況標識装置から生体情報の測定の開始を通知された場合に、生体情報センサの性能を上げて測定精度を向上させる制御プログラムを持つことを特徴とする生体情報測定方法である。
【００１９】
また、本発明は、上記の生体情報測定方法であって、前記生体情報測定装置の制御プログラムが、前記生体状況標識装置から生体情報の測定の終了を通知された場合、又は、センサ停止タイマー手段により生体情報の測定の終了を感知した場合に、前記生体情報センサの性能を下げて測定精度を下げることを特徴とする生体情報測定方法である。
【００２０】
また、本発明は、利用者が装着して生体情報を測定する生体情報測定装置と、該生体情報測定装置に近距離無線通信手段を用いて生体情報の測定の開始のタイミングを通知する生体状況標識装置を用いる生体情報測定方法であって、前記生体情報測定装置の制御プログラムが、前記生体状況標識装置から生体情報の測定の開始を通知された場合に、生体情報センサの測定の頻度を高くする制御プログラムを持つことを特徴とする生体情報測定方法である。
【００２１】
また、本発明は、上記の生体情報測定方法であって、前記生体情報測定装置の制御プログラムが、前記生体状況標識装置から生体情報の測定の終了を通知された場合、又は、センサ停止タイマー手段により生体情報の測定の終了を感知した場合に、前記生体情報センサの測定の頻度を低くすることを特徴とする生体情報測定方法である。
【発明の効果】
【００２２】
本発明は、生体情報測定装置が、近距離無線通信手段を介して生体状況標識装置から利用者の食事の開始等の生体情報の測定の開始のタイミングを通知される。その場合に、生体グルコース濃度測定手段等の生体情報センサの電源を入れて利用者の生体情報を測定する。また、生体状況標識装置から利用者の食事の終了等の生体情報の測定の終了のタイミングを通知される。その場合に、生体グルコース濃度測定手段等の生体情報センサを用いて生体情報を測定した上で生体情報センサの電源を切る。
【００２３】
これにより、本発明は、生体情報の測定が必要な最適なタイミングで生体情報を測定でき、特に生体情報が必要な重要な時間帯に集中して生体情報を測定することができる。そして、測定が必要な時間帯と測定が不要な時間帯を区別できるので、測定が不要な時間に生体情報センサへの電源を切ることができるので、電力を効率的に使用できる効果がある。
【００２４】
また、本発明は、測定が必要な時間帯のみに測定データを取得して、不要な測定データを取得しないので、生体情報測定装置等の記憶手段に記憶する測定データの量を少なくすることができ、測定システムの各装置の記憶手段の容量を効率的に使える効果がある。
【００２５】
更に、本発明は、利用者が意識的に生体情報センサの測定用のスイッチを押す操作が不要であるので利用者の手間を省け、利用者の操作の負荷を少なくできる効果がある。
【図面の簡単な説明】
【００２６】
【図１】本発明の第１の実施形態の生体情報測定システムのブロック図である。
【図２】本発明の実施形態の生体情報測定装置を利用者が装着した例を示す図である。
【図３】本発明の実施形態の生体情報測定装置の生体グルコース濃度測定手段の概要を示すブロック図である。
【図４】本発明の第１の実施形態の処理手順を説明するフローチャートである。
【図５】本発明の第２の実施形態の処理手順を説明するフローチャート（その１）である。
【図６】本発明の第２の実施形態の処理手順を説明するフローチャート（その２）である。
【図７】本発明の第３の実施形態の処理手順を説明するフローチャート（その１）である。
【図８】本発明の第３の実施形態の処理手順を説明するフローチャート（その２）である。
【図９】本発明の第４の実施形態の生体情報測定システムのブロック図である。
【発明を実施するための形態】
【００２７】
＜第１の実施形態＞
本発明の第１の実施形態について図１から図４を参照して説明する。第１の実施形態の生体情報測定システムでは、食堂に入場した場合に、利用者が身体に装着した生体情報測定装置１００の電源を入れ血糖値を測定し、食事が終わったタイミングで再度血糖値を測定し生体情報測定装置１００の電源を切ることで、生体情報測定装置１００の消費電力を低減する生体情報測定システムである。
【００２８】
図１に、本実施形態の生体情報測定システムのブロック構成を示す。図１のように、生体情報測定システムは、生体情報測定装置１００と生体状況標識装置２００を備える。また、生体情報測定システムに利用者の通信端末装置３００を加えて用いることができるが、利用者の通信端末装置３００を省略することも可能である。
【００２９】
（生体情報測定装置１００）
生体情報測定装置１００は、利用者が身体に装着するウェアラブルデバイスであって、複数の生体情報センサを備えることができる。例えば、生体情報センサとして非浸襲性の生体グルコース濃度測定手段１１０を用いて生体の血糖値、すなわちグルコース濃度を測定することができる。そして、その他の生体情報センサとして脈拍を検出する脈拍計１２１や体温計１２２等の生体情報センサを備えることができる。また、生体情報センサを１つのみ備えた生体情報測定装置１００を用いることもできる。
【００３０】
また、生体情報測定装置１００は、生体状況標識装置２００との無線通信を行う近距離無線通信手段１３０と、電源管理手段１４０と、制御プログラムを記憶し生体情報の測定データを記憶する記憶手段１５０を備える。
【００３１】
生体情報測定装置１００は、生体状況標識装置２００からのセンサ起動コマンドＣＭ１やセンサ停止コマンドＣＭ２を近距離無線通信手段１３０によって受信した場合に、受信したコマンドに従って電源管理手段１４０を用いて生体グルコース濃度測定手段１１０の電源を入れ、又は、電源を切る動作を行う。
【００３２】
生体情報測定装置１００の形状は種々考えられるが、例えば図２（ａ）及び図３の様に、利用者の手首に装着されるバンド型或いは腕時計型の機器であってもよい。
【００３３】
（生体グルコース濃度測定手段１１０）
生体情報測定装置１００の生体グルコース濃度測定手段１１０は、図３の様に、被測定
者の生体の腕の皮膚にＡＴＲ（Attenuated Total Reflection）プリズム１１２（全反射減衰プリズム）の全反射面を押し付けてＡＴＲ型フーリエ変換赤外分光を行うことで非浸襲で生体グルコース濃度を測定する。
【００３４】
生体グルコース濃度測定手段１１０のＡＴＲプリズム１１２は、例えばＺｎＳｅ，Ｇｅ又はダイアモンドからなり、入射した光線は、腕の皮膚に押し付けた全反射面で全反射してＡＴＲプリズム１１２中を通過する。ＡＴＲプリズム１１２の通過光には、ＡＴＲプリズム１１２に押し付けた腕の皮膚の生体成分で吸収された光スペクトルが現れる。
【００３５】
生体グルコース濃度測定手段１１０は、ＡＴＲプリズム１１２に中赤外光を発生する光源１１１からの中赤外光を入射する。光源１１１は、ＹＡＧレーザ発振器で波長１μｍのレーザ光を発振し、光パラメトリック発振器で、波長９μｍの中赤外光に変換して中赤外光を出射して、その中赤外光を光ファイバを通してＡＴＲプリズム１１２に導く。
【００３６】
そして、生体グルコース濃度測定手段１１０は、ＡＴＲプリズム１１２を通過した中赤外光を光ファイバでスペクトル検出器１１３に導いて通過光のスペクトル強度を検出することで生体のグルコース濃度を測定する。
【００３７】
生体グルコース濃度測定手段１１０は、生体のグルコース濃度の測定に限らず、乳酸値やコレステロール値を測定することもできる。
【００３８】
（生体状況標識装置２００）
生体状況標識装置２００は食堂等に設置し、生体情報測定装置１００に対し、生体情報の検出開始のタイミングを指令する。その生体状況標識装置２００は、近距離無線通信手段２１０と、センサ起動コマンド作成手段２２０とセンサ停止コマンド作成手段２３０を備える。
【００３９】
例えば、食堂の入口に設置した生体状況標識装置２００は、センサ起動コマンド作成手段２２０を用いてセンサ起動コマンドＣＭ１を作成し、近距離無線通信手段２１０を用いて、生体情報測定装置１００に向けてそのコマンドを送信する。
【００４０】
また、食堂の出口に設置した生体状況標識装置２００は、センサ停止コマンド作成手段２３０を用いてセンサ停止コマンドＣＭ２を作成し、近距離無線通信手段２１０を用いて、生体情報測定装置１００に向けてそのコマンドを送信する。
【００４１】
生体情報測定装置１００を身に着けた利用者が、食事のために食堂に入る際に食堂の入口に設置した生体状況標識装置２００に図２（ｃ）の様に、生体情報測定装置１００を接近させる。
【００４２】
そうすると、生体情報測定装置１００が、生体状況標識装置２００からセンサ起動コマンドＣＭ１を受信する。そして、生体情報測定装置１００は、受信したコマンドに従って電源管理手段１４０を用いて生体グルコース濃度測定手段１１０の電源を入れて動作させる。そして、生体グルコース濃度測定手段１１０が生体グルコース濃度を測定して測定データを記憶手段１５０に記憶する。
【００４３】
また、生体情報測定装置１００を身に着けた利用者が、食事を終えて食堂を出る際に食堂の出口に設置した生体状況標識装置２００に生体情報測定装置１００を接近させると、生体情報測定装置１００が、生体状況標識装置２００からセンサ停止コマンドＣＭ２を受信する。
【００４４】
センサ停止コマンドＣＭ２を受信した生体情報測定装置１００は、先ず、生体グルコース濃度測定手段１１０を動作させて生体のグルコース濃度を測定し測定データを記憶手段１５０に記憶する。次に、生体情報測定装置１００は、電源管理手段１４０を用いて生体グルコース濃度測定手段１１０の電源を切り動作を停止させる。
【００４５】
（変形例１）
変形例１として、生体状況標識装置２００を携帯電話等の利用者の携帯端末装置を生体状況標識装置２００として用いることができる。利用者の携帯端末装置で構成した生体状況標識装置２００は、携帯端末装置のアプリケーションプログラムによってセンサ起動コマンド作成手段２２０とセンサ停止コマンド作成手段２３０を構成し、そのアプリケーションプログラムがセンサ起動コマンドＣＭ１やセンサ停止コマンドＣＭ２を作成する。
【００４６】
例えば、利用者が携帯端末装置で構成した生体状況標識装置２００に食事開始予測時間と終了予測時間を設定することで、生体状況標識装置２００は、利用者の食事開始予測時刻以前に、センサ起動コマンド作成手段２２０を用いてセンサ起動コマンドＣＭ１を作成し、近距離無線通信手段２１０を用いて、生体情報測定装置１００に向けてセンサ起動コマンドＣＭ１を送信する。
【００４７】
また、携帯端末装置で構成した生体状況標識装置２００は、利用者の食事終了予測時刻以降に、センサ停止コマンド作成手段２３０を用いてセンサ停止コマンドＣＭ２を作成し、近距離無線通信手段２１０を用いて、生体情報測定装置１００に向けてセンサ停止コマンドＣＭ２を送信する。
【００４８】
（通信端末装置）
携帯電話やその他の携帯端末装置等の、利用者の通信端末装置３００を用いることもできる。通信端末装置３００には、無線通信ネットワークと無線で通信するネットワーク通信手段３１０と、生体情報測定装置１００と通信する近距離無線通信手段３２０と記憶手段３３０を備える。
【００４９】
生体情報測定装置１００は、生体グルコース濃度測定手段１１０を動作させて測定した生体のグルコース濃度測定データを近距離無線通信手段１３０を用いて通信端末装置３００に送信することができる。通信端末装置３００は、生体情報測定装置１００から受信した生体情報の測定データを記憶手段３３０に記憶する。
【００５０】
通信端末装置３００は、更に、受信した生体情報の測定データをネットワーク通信手段３１０を用いて利用者の生体情報を管理する医療管理サーバに送信することができる。
【００５１】
（処理手順）
次に、第１の実施形態の生体情報測定装置１００の有する制御プログラムと生体状況標識装置２００の制御プログラムの処理手順を、図４のフローチャートを参照して説明する。
【００５２】
（ステップＳ１０１）
生体情報測定装置１００を身に着けた利用者が、食事のために食堂に入る際に、すなわち食事前に、食堂の入口に設置した生体状況標識装置２００に接近する。それにより、生体情報測定装置１００が、生体状況標識装置２００からセンサ起動コマンド作成手段２２０が作成したセンサ起動コマンドＣＭ１を受信する。具体的には、食堂の入口に設置した生体状況標識装置２００は、ＩＤデータ（識別子）を送信する。生体情報測定装置１００は、そのデータを受信することで、センサ起動コマンドＣＭ１を受信したものと解釈する。
【００５３】
生体状況標識装置２００からセンサ起動コマンドＣＭ１等のコマンドを生体情報測定装置１００に送信する近距離無線通信手段２１０としてブルートゥース（登録商標）規格に従った近距離無線通信手段２１０を用いることができる。
【００５４】
（ステップＳ１０２）
生体情報測定装置１００は、受信したセンサ起動コマンドＣＭ１に従って電源管理手段１４０を用いて生体グルコース濃度測定手段１１０の電源を入れて動作させる。そして、生体グルコース濃度測定手段１１０により、食前の生体のグルコース濃度を測定し記憶手段１５０に記憶する。
【００５５】
（ステップＳ１０３）
生体情報測定装置１００は、測定した生体のグルコース濃度を、無線通信手段を用いて利用者の通信端末装置３００へ、又は利用者の生体情報を管理する医療管理サーバへ送信することができる。
【００５６】
（ステップＳ１０４）
生体情報測定装置１００を身に着けた利用者が、食事を終えて食堂を出る際に食堂の出口に設置した生体状況標識装置２００に接近する。それにより、生体情報測定装置１００が、生体状況標識装置２００からセンサ停止コマンド作成手段２３０が作成したセンサ停止コマンドＣＭ２を受信する。具体的には、食堂の出口に設置した生体状況標識装置２００は、ＩＤデータ（識別子）を送信する。生体情報測定装置１００は、そのデータを受信することで、センサ停止コマンドＣＭ２を受信したものと解釈する。
【００５７】
（ステップＳ１０５）
センサ停止コマンドＣＭ２を受信した生体情報測定装置１００は、先ず、生体グルコース濃度測定手段１１０により、食後の生体のグルコース濃度を測定し記憶手段１５０に記憶する。
【００５８】
（ステップＳ１０６）
生体情報測定装置１００は、測定した生体のグルコース濃度を、無線通信手段を用いて利用者の通信端末装置３００へ、又は利用者の生体情報を管理する医療管理サーバへ送信することができる。
【００５９】
（ステップＳ１０７）
生体情報測定装置１００は、生体グルコース濃度測定手段１１０が測定した生体のグルコース濃度が正常値であった場合は、次に、電源管理手段１４０を用いて生体グルコース濃度測定手段１１０の電源を切り動作を停止させる。ただし、脈拍計１２１や体温計１２２の電源は入れたままにして継続してそれらの生体情報の測定を継続する。
【００６０】
（ステップＳ１０８）
生体情報測定装置１００は、生体グルコース濃度測定手段１１０が測定した生体のグルコース濃度が異常値であった場合は、生体グルコース濃度測定手段１１０による測定を継続する。
【００６１】
以上の処理により、生体グルコース濃度測定手段１１０は、糖尿病に関連する生体情報のうち最も重要な情報である、利用者の空腹時の生体グルコース濃度、及び、食後３０分から１２０分の生体グルコース濃度を測定し、記憶手段１５０に記憶する。
【００６２】
また、以上の処理により、生体情報測定装置１００は、生体情報の測定が必要な最適な
タイミングで特に生体情報の測定が必要とされている食事の前後の血糖値（グルコース濃度）を測定でき、この重要な時間帯に集中的に生体情報を測定することができる効果がある。
【００６３】
そして、生体情報測定装置１００は、最適なタイミングで生体グルコース濃度を測定した後に、生体グルコース濃度測定手段１１０の電源を切り消費電力を節減する。それにより、測定が必要無い時間帯には生体グルコース濃度測定手段１１０への電力供給を停止することで、電力を効率的に使用できる効果がある。
【００６４】
このように、本実施形態は、生体情報の測定が必要な最適なタイミングで生体情報を測定でき、特に生体情報が必要な重要な時間帯に生体情報を測定することができる。また、測定が必要な時間と測定が不要な時間を区別して、測定が不要な時間はその生体情報センサへの電力供給を止めることができるので、電力を効率的に使用できる効果がある。
【００６５】
本発明は、測定が必要な測定データのみを測定して生体情報測定装置１００等の記憶手段１５０に記憶することで、記憶手段１５０に記憶する測定データを必要な測定データのみに絞り込むことができる。こうして、記憶する測定データ量を削減することで記憶手段１５０の容量を効率的に使える効果がある。
【００６６】
これにより測定データを記憶する容量を効率的に使える記憶手段は、生体情報測定装置１００の記憶手段１５０に限らず、利用者の通信端末装置３００の記憶手段３３０や医療管理サーバの記憶手段も効率的に使えるようになる効果がある。
【００６７】
また、一方で、生体情報測定装置１００が測定を継続するべき生体情報センサは動作を継続させることで、生体情報測定装置１００が生体情報の測定が必要な生体情報センサのみに電力を供給して動作させる。
【００６８】
（変形例２）
変形例２として、生体情報測定装置１００は、センサ停止タイマー手段とセンサ自己停止手段を備えることができる。生体情報測定装置１００は、生体状況標識装置２００からセンサ起動コマンドＣＭ１を受信した場合に、利用者の空腹時の生体グルコース濃度の測定と同時に、センサ停止タイマー手段を起動させる。そして、センサ停止タイマー手段が、食事時間に相当する所定時間経過後に、センサ自己停止手段を起動する。
【００６９】
センサ自己停止手段は、上記の第１の実施形態のステップＳ１０５からＳ１０８の処理を実行して、利用者の食後３０分から１２０分の生体グルコース濃度を測定し、記憶手段１５０に記憶した上で、電源管理手段１４０を用いて生体グルコース濃度測定手段１１０の電源を切り動作を停止させる。
【００７０】
（変形例３）
変形例３として、生体情報測定装置１００は、生体状況標識装置２００からセンサ起動コマンドＣＭ１とセンサ停止コマンドＣＭ２を受信した場合の応答として、以上の処理の様な、単に生体グルコース濃度測定手段１１０への電力の供給開始と供給停止を行う以外に、センサ起動コマンドＣＭ１とセンサ停止コマンドＣＭ２（あるいはセンサ停止タイマー手段によるセンサ自己停止手段の起動）の間の期間に、生体グルコース濃度測定手段１１０の性能を一時的に上げて測定精度を向上させる応答をすることもできる。
【００７１】
（変形例４）
変形例４として、生体情報測定装置１００は、生体状況標識装置２００からセンサ起動コマンドＣＭ１とセンサ停止コマンドＣＭ２を受信した場合の応答として、通常の生体情
報の測定の周期が例えば５分間に１回であったところを、センサ起動コマンドＣＭ１を受信した時からセンサ停止コマンドＣＭ２を受信した時（あるいはセンサ停止タイマー手段によるセンサ自己停止手段の起動）までの間の期間では、生体情報の測定の周期を１分間に１回にし、測定の頻度を高くする応答をすることもできる。
【００７２】
＜第２の実施形態＞
第２の実施形態は、生体情報測定システムの生体状況標識装置２００が生体情報測定装置１００の記憶手段１５０の特定領域にコマンドを書き込んで生体情報測定装置１００の動作を指令する処理を実行する。以下、第２の実施形態の生体情報測定装置１００の有する制御プログラムと生体状況標識装置２００の制御プログラムの処理手順を図５と図６のフローチャートを参照して説明する。
【００７３】
（ステップＳ２０１）
食堂の入口に設置した生体状況標識装置２００に接近した生体情報測定装置１００は、生体状況標識装置２００が近距離無線通信手段２１０を用いた無線通信により送信している標識識別子ＩＤ１を受信する。
【００７４】
標識識別子ＩＤ１を受信した生体情報測定装置１００は、生体状況標識装置２００に対して、生体情報測定装置１００の測定装置識別子ＩＤ２を送信する。
【００７５】
（ステップＳ２０２）
生体状況標識装置２００は、生体情報測定装置１００から測定装置識別子ＩＤ２を受信した場合に、センサ起動コマンド作成手段２２０を用いて、生体情報測定装置１００の記憶手段１５０の特定領域に書き込むセンサ起動コマンドＣＭ１のデータを作成する。
【００７６】
生体状況標識装置２００は、作成したセンサ起動コマンドＣＭ１を近距離無線通信手段２１０を用いて生体情報測定装置１００に向けて送信する。
【００７７】
生体状況標識装置２００から生体情報測定装置１００に向けてセンサ起動コマンドＣＭ１等のコマンドを送信する近距離無線通信手段２１０としてＮＦＣ（Near Field Communication）規格に従った近距離無線通信手段２１０を用いることができる。
【００７８】
（ステップＳ２０３）
生体情報測定装置１００は、生体状況標識装置２００からセンサ起動コマンドＣＭ１を受信した場合に、受信したセンサ起動コマンドＣＭ１のデータを記憶手段１５０の特定領域で記憶する。また、生体情報測定装置１００は、生体状況標識装置２００に向けてコマンド受信の応答メッセージＲ１を返信する。
【００７９】
（ステップＳ２０４）
生体状況標識装置２００は、生体情報測定装置１００にセンサ起動コマンドＣＭ１を送信した後に、生体情報測定装置１００からコマンド受信の応答メッセージＲ１を受信したか否かの結果を、通信手段を用いて利用者の生体情報を管理する医療管理サーバに送信することができる。
【００８０】
（ステップＳ２０５）
生体情報測定装置１００は、受信したコマンドに従って電源管理手段１４０を用いて生体グルコース濃度測定手段１１０の電源を入れて動作させる。そして、生体グルコース濃度測定手段１１０により、食前の生体のグルコース濃度を測定し記憶手段１５０で記憶する。
【００８１】
（ステップＳ２０６）
生体情報測定装置１００は、測定した生体のグルコース濃度を、無線通信手段を用いて利用者の通信端末装置３００へ、又は利用者の生体情報を管理する医療管理サーバへ送信することができる。
【００８２】
（ステップＳ２０７）
食堂の出口に設置した生体状況標識装置２００に接近した生体情報測定装置１００は、生体状況標識装置２００が近距離無線通信手段２１０を用いた無線通信により送信している標識識別子ＩＤ１を受信する。
【００８３】
標識識別子ＩＤ１を受信した生体情報測定装置１００は、生体状況標識装置２００に対して、生体情報測定装置１００の測定装置識別子ＩＤ２を送信する。
【００８４】
（ステップＳ２０８）
食堂の出口に設置した生体状況標識装置２００は、生体情報測定装置１００から測定装置識別子ＩＤ２を受信した場合に、センサ停止コマンド作成手段２３０を用いて、生体情報測定装置１００の記憶手段１５０の特定領域に書き込むセンサ停止コマンドＣＭ２のデータを作成する。
【００８５】
生体状況標識装置２００は、作成したセンサ停止コマンドＣＭ２を近距離無線通信手段２１０を用いて生体情報測定装置１００に向けて送信する。
【００８６】
（ステップＳ２０９）
生体情報測定装置１００は、生体状況標識装置２００からセンサ停止コマンドＣＭ２を受信した場合に、受信したセンサ停止コマンドＣＭ２のデータを記憶手段１５０の特定領域で記憶する。また、生体情報測定装置１００は、生体状況標識装置２００に向けてコマンド受信の応答メッセージＲ１を返信する。
【００８７】
（ステップＳ２１０）
生体状況標識装置２００は、生体情報測定装置１００にセンサ停止コマンドＣＭ２を送信した後に、生体情報測定装置１００からコマンド受信の応答メッセージＲ１を受信したか否かの結果を、利用者の生体情報を管理する医療管理サーバに送信することができる。
【００８８】
（ステップＳ２１１）
センサ停止コマンドＣＭ２を受信した生体情報測定装置１００は、先ず、生体グルコース濃度測定手段１１０により、食後の生体のグルコース濃度を測定し記憶手段１５０に記憶する。
【００８９】
（ステップＳ２１２）
生体情報測定装置１００は、測定した生体のグルコース濃度を、無線通信手段を用いて利用者の通信端末装置３００へ、又は利用者の生体情報を管理する医療管理サーバへ送信することができる。
【００９０】
（ステップＳ２１３）
生体情報測定装置１００は、生体グルコース濃度測定手段１１０が測定した生体のグルコース濃度が正常値であった場合は、次に、電源管理手段１４０を用いて生体グルコース濃度測定手段１１０の電源を切り動作を停止させる。ただし、脈拍計１２１や体温計１２２の電源は入れたままにして継続してそれらの生体情報の測定を継続する。
【００９１】
（ステップＳ２１４）
生体情報測定装置１００は、生体グルコース濃度測定手段１１０が測定した生体のグルコース濃度が異常値であった場合は、生体グルコース濃度測定手段１１０による測定を継続する。
【００９２】
こうして、生体情報測定装置１００は、生体状況標識装置２００から受信したセンサ起動コマンドＣＭ１に従って生体グルコース濃度測定手段１１０の電源を入れて動作させ、センサ停止コマンドを受信した場合に、生体グルコース濃度測定手段１１０の電源を切る。
【００９３】
それにより、生体グルコース濃度測定手段１１０を測定を必要な期間のみ動作させ、その消費電力を節約して電力を効率的に使用することができる効果がある。
【００９４】
＜第３の実施形態＞
第３の実施形態は、生体情報測定システムの生体情報測定装置１００と食堂に設置した生体状況標識装置２００が暗号化通信を行う。例えば、生体状況標識装置２００が秘密鍵を持ち、生体情報測定装置１００が公開鍵を持ち、公開鍵認証を行った上で、暗号化したコマンドデータを通信する。以下で第３の実施形態における生体情報測定装置１００の制御プログラムと生体状況標識装置２００の制御プログラムの処理手順を図７と図８のフローチャートを参照して説明する。
【００９５】
（ステップＳ３０１）
食堂の入口に設置した生体状況標識装置２００に接近した生体情報測定装置１００は、生体状況標識装置２００が近距離無線通信手段２１０を用いた無線通信により送信している標識識別子ＩＤ１を受信する。
【００９６】
標識識別子ＩＤ１を受信した生体情報測定装置１００は、生体状況標識装置２００に対して、生体情報測定装置１００の測定装置識別子ＩＤ２を公開鍵を用いて暗号化した装置識別子Ｒ２を送信する。
【００９７】
（ステップＳ３０２）
生体状況標識装置２００は、受信した暗号化装置識別子Ｒ２を秘密鍵を用いて復号して生体情報測定装置１００の測定装置識別子ＩＤ２を読み取ることで、生体情報測定装置１００を認証する。
【００９８】
次に、生体状況標識装置２００は、認証した生体情報測定装置１００の測定装置識別子ＩＤ２のデータを秘密鍵を用いて暗号化した装置識別子Ｒ２ｂのデータを作成し、その暗号化データを生体情報測定装置１００に送信する。
【００９９】
（ステップＳ３０３）
暗号化装置識別子Ｒ２ｂを受信した生体情報測定装置１００は、その暗号化データを公開鍵を用いて復号して生体情報測定装置１００の測定装置識別子ＩＤ２を読み取る。次に、その測定装置識別子ＩＤ２のデータを自身の測定装置識別子ＩＤ２と照合することで生体状況標識装置２００を認証する。
【０１００】
（ステップＳ３０４）
生体状況標識装置２００は、センサ起動コマンド作成手段２２０を用いて、認証できた生体情報測定装置１００の記憶手段１５０の特定領域に書き込むセンサ起動コマンドＣＭ１のデータを作成し、そのセンサ起動コマンドＣＭ１を秘密鍵を用いて暗号化して生体情報測定装置１００へ送信する。
【０１０１】
（ステップＳ３０５）
生体情報測定装置１００は、受信した暗号化されたセンサ起動コマンドＣＭ１のデータを公開鍵を用いて復号し、その復号したデータを記憶手段１５０の特定領域で記憶する。また、生体情報測定装置１００は、生体状況標識装置２００に向けてコマンド受信の応答メッセージＲ１を返信する。
【０１０２】
（ステップＳ３０６）
生体状況標識装置２００は、生体情報測定装置１００にセンサ起動コマンドＣＭ１を送信した後に、生体情報測定装置１００からコマンド受信の応答メッセージＲ１を受信したか否かの結果を、通信手段を用いて利用者の生体情報を管理する医療管理サーバに送信することができる。
【０１０３】
（ステップＳ３０７）
生体情報測定装置１００は、受信したコマンドに従って電源管理手段１４０を用いて生体グルコース濃度測定手段１１０の電源を入れて動作させる。そして、生体グルコース濃度測定手段１１０により、食前の生体のグルコース濃度を測定し記憶手段１５０に記憶する。
【０１０４】
（ステップＳ３０８）
生体情報測定装置１００は、測定した生体のグルコース濃度を、無線通信手段を用いて利用者の通信端末装置３００へ、又は利用者の生体情報を管理する医療管理サーバへ送信することができる。
【０１０５】
（ステップＳ３０９）
食堂の出口に設置した生体状況標識装置２００に接近した生体情報測定装置１００は、生体状況標識装置２００が近距離無線通信手段２１０を用いた無線通信により送信している標識識別子ＩＤ１を受信する。
【０１０６】
（ステップＳ３１０、Ｓ３１１）
標識識別子ＩＤ１を受信した生体情報測定装置１００は、ステップＳ３０２からＳ３０３と同様な公開鍵認証処理を行うことで生体状況標識装置２００を認証する。
【０１０７】
（ステップＳ３１２）
そして、生体状況標識装置２００は、センサ停止コマンド作成手段２３０を用いて、センサ停止コマンドＣＭ２を作成し、秘密鍵を用いて暗号化して生体情報測定装置１００へ送信する。
【０１０８】
（ステップＳ３１３）
生体情報測定装置１００は、受信した暗号化されたセンサ停止コマンドＣＭ２のデータを公開鍵を用いて復号し、そのデータを記憶手段１５０の特定領域で記憶する。また、生体情報測定装置１００は、生体状況標識装置２００に向けてコマンド受信の応答メッセージＲ１を返信する。
【０１０９】
（ステップＳ３１４）
生体状況標識装置２００は、生体情報測定装置１００にセンサ停止コマンドＣＭ２を送信した後に、生体情報測定装置１００からコマンド受信の応答メッセージＲ１を受信したか否かの結果を、通信手段を用いて利用者の生体情報を管理する医療管理サーバに送信することができる。
【０１１０】
（ステップＳ３１５）
センサ停止コマンドＣＭ２を受信した生体情報測定装置１００は、先ず、生体グルコース濃度測定手段１１０により、食後の生体のグルコース濃度を測定し記憶手段１５０に記憶する。
【０１１１】
（ステップＳ３１６）
生体情報測定装置１００は、測定した生体のグルコース濃度を、無線通信手段を用いて利用者の通信端末装置３００へ、又は利用者の生体情報を管理する医療管理サーバへ送信することができる。
【０１１２】
（ステップＳ３１７）
生体情報測定装置１００は、生体グルコース濃度測定手段１１０が測定した生体のグルコース濃度が正常値であった場合は、次に、電源管理手段１４０を用いて生体グルコース濃度測定手段１１０の電源を切り動作を停止させる。ただし、脈拍計１２１や体温計１２２の電源は入れたままにして継続してそれらの生体情報の測定を継続する。
【０１１３】
（ステップＳ３１８）
生体情報測定装置１００は、生体グルコース濃度測定手段１１０が測定した生体のグルコース濃度が異常値であった場合は、生体グルコース濃度測定手段１１０による測定を継続する。
【０１１４】
＜第４の実施形態＞
生体情報測定システムの第４の実施形態は、図９及び図２（ｂ）の様に、非接触ＩＣカード４００を生体情報測定装置１００に取り付けて、非接触ＩＣカード４００を食堂の入口又は出口に設置した生体状況標識装置２００に接近させて、非接触ＩＣカード４００を生体状況標識装置２００と近距離無線通信させることで、食事料金の会計処理等を生体状況標識装置２００を介して行う。
【０１１５】
その処理の際に生体情報測定装置１００が生体状況標識装置２００に接近する事を利用して、生体情報測定装置１００がその時間に必要とする動作指令コマンドを生体状況標識装置２００から無線で受信する。
【０１１６】
本実施形態は、生体情報測定装置１００を確実に生体状況標識装置２００に接近させることで、生体情報測定装置１００が確実に生体状況標識装置２００からその時間に生体情報測定装置１００が必要とする動作指令コマンドを受信することができる効果がある。
【０１１７】
なお、本発明は、以上の実施形態に限定されず、生体グルコース濃度測定手段１１０は他の生体情報センサに置き換え、また、その生体情報センサの種類に応じて生体情報を測定することが望ましい他のタイミングを生体情報測定装置１００に通知する他の生体状況標識装置２００を用いることができる。
【０１１８】
すなわち、生体状況標識装置２００は、利用者の食事の開始と終了時刻以外のタイミングで、用いる生体情報測定装置１００が生体情報の測定の開始と終了をする必要がある他のタイミングの時刻を生体情報測定装置１００に、近距離無線通信手段を用いて通知する生体状況標識装置２００を用いることができる。
【産業上の利用可能性】
【０１１９】
本発明の生体情報測定システムは、企業や団体の社員証あるいは団体の会員証に組み合わせることで社員あるいは団体の会員の健康管理を行うことができ、企業や団体の会員の健康を改善する効果をもたらす手段として用いることもできると考える。
【符号の説明】
【０１２０】
１００・・・生体情報測定装置
１１０・・・生体グルコース濃度測定手段
１１１・・・光源
１１２・・・ＡＴＲプリズム（全反射減衰プリズム）
１１３・・・スペクトル検出器
１２１・・・脈拍計
１２２・・・体温計
１３０・・・近距離無線通信手段
１４０・・・電源管理手段
１５０・・・記憶手段
２００・・・生体状況標識装置
２１０・・・近距離無線通信手段
２２０・・・センサ起動コマンド作成手段
２３０・・・センサ停止コマンド作成手段
３００・・・通信端末装置
３１０・・・ネットワーク通信手段
３２０・・・近距離無線通信手段
３３０・・・記憶手段
４００・・・非接触ＩＣカード
ＣＭ１・・・センサ起動コマンド
ＣＭ２・・・センサ停止コマンド
ＩＤ１・・・生体状況標識装置の標識識別子
ＩＤ２・・・測定装置識別子
Ｒ１・・・応答メッセージ
Ｒ２・・・公開鍵を用いて暗号化した装置識別子
Ｒ２ｂ・・・秘密鍵を用いて暗号化した装置識別子
【図１】
0006736874.tif 000002
【図２】
0006736874.tif 000003
【図３】
0006736874.tif 000004
【図４】
0006736874.tif 000005
【図５】
0006736874.tif 000006
【図６】
0006736874.tif 000007
【図７】
0006736874.tif 000008
【図８】
0006736874.tif 000009
【図９】
0006736874.tif 000010